(57)【特許請求の範囲】
【請求項１】
移動局によって送信される上りユーザデータの伝送速度を制御する伝送速度制御方法であって、
無線回線制御局が、複数のセルとの間で無線リンクを設定しているソフトハンドオーバー状態の移動局に対して割り当てるべき第１のテンポラリ識別子と、１つのセルとの間でのみ無線リンクを設定している非ソフトハンドオーバー状態の移動局に対して割り当てるべき第２のテンポラリ識別子とを管理しており、
前記無線回線制御局が、前記移動局から取得する受信状態の測定報告に基づいて、前記移動局が前記ソフトハンドオーバー状態と前記非ソフトハンドオーバー状態との間で遷移することを決定する工程と、
前記無線回線制御局が、前記遷移の決定に基づいて、前記第１のテンポラリ識別子又は前記第２のテンポラリ識別子を割り当てる工程と、
前記移動局との間で無線リンクを設定しているセルが、前記ソフトハンドオーバー状態において、前記第１のテンポラリ識別子を用いて前記上りユーザデータの伝送速度を制御し、前記非ソフトハンドオーバー状態において、前記第２のテンポラリ識別子を用いて前記上りユーザデータの伝送速度を制御する工程とを有しており、
前記第１のテンポラリ識別子又は前記第２のテンポラリ識別子の一方は、複数の移動局に共通の共通絶対伝送速度の送信に用いられ、
前記第１のテンポラリ識別子又は前記第２のテンポラリ識別子の他方は、移動局に個別の個別絶対伝送速度の送信に用いられることを特徴とする伝送速度制御方法。
【請求項２】
移動局によって送信される上りユーザデータの伝送速度を制御する移動通信システムで用いられる無線回線制御局であって、
複数のセルとの間で無線リンクを設定しているソフトハンドオーバー状態の移動局に対して割り当てるべき第１のテンポラリ識別子と、１つのセルとの間でのみ無線リンクを設定している非ソフトハンドオーバー状態の移動局に対して割り当てるべき第２のテンポラリ識別子とを管理するテンポラリ識別子管理部と、
前記移動局から取得する受信状態の測定報告に基づいて、前記移動局が前記ソフトハンドオーバー状態と前記非ソフトハンドオーバー状態との間で遷移することを決定する遷移決定部と、
前記遷移の決定に基づいて、前記移動局に対して、前記前記第１のテンポラリ識別子又は前記第２のテンポラリ識別子を割り当てるテンポラリ識別子割り当て部とを具備しており、
前記第１のテンポラリ識別子又は前記第２のテンポラリ識別子の一方は、複数の移動局に共通の共通絶対伝送速度の送信に用いられ、
前記第１のテンポラリ識別子又は前記第２のテンポラリ識別子の他方は、移動局に個別の個別絶対伝送速度の送信に用いられることを特徴とする無線回線制御局。
【発明の詳細な説明】
【技術分野】
【０００１】  本発明は、移動局によって送信される上りユーザデータの伝送速度を制御する伝送速度制御方法及び無線回線制御局に関する。
【背景技術】
【０００２】従来の移動通信システムでは、無線回線制御局ＲＮＣが、移動局ＵＥと無線基地局ＮｏｄｅＢとの間の個別物理チャネルを設定する際に、当該無線基地局ＮｏｄｅＢの受信用ハードウエアリソース（以下、ハードウエアリソース）や、上り無線リソース（上り干渉量）や、当該移動局ＵＥの送信電力や、当該移動局ＵＥの送信処理性能や、上位のアプリケーションが必要とする伝送速度等を鑑みて、上りユーザデータの伝送速度を決定し、当該移動局ＵＥ及び当該無線基地局ＮｏｄｅＢのそれぞれに対して、レイヤ３（Ｒａｄｉｏ  Ｒｅｓｏｕｒｃｅ  Ｃｏｎｔｒｏｌ  ｌａｙｅｒ）のメッセージとして通知するように構成されている。【０００３】  ここで、無線回線制御局ＲＮＣは、無線基地局ＮｏｄｅＢの上位に存在し、無線基地局ＮｏｄｅＢ及び移動局ＵＥを制御する装置である。【０００４】  一方、データ通信では、音声通話やＴＶ通話の場合と比べて、トラフィックがバースト的に発生することが多く、本来は、高速に、上りユーザデータの伝送速度を変更できることが望ましい。【０００５】  しかしながら、図１４に示すように、従来の移動通信システムでは、無線回線制御局ＲＮＣが、通常、多くの無線基地局ＮｏｄｅＢを統括して制御しており、無線回線制御局ＲＮＣにおける処理負荷及び処理遅延が増加することが想定されることから、高速な（例えば、１〜１００ｍｓ程度の）上りユーザデータの伝送速度の変更制御を行うことは困難であるという問題点があった。【０００６】  或いは、従来の移動通信システムにおいて、高速な上りユーザデータの伝送速度の変更制御を行うことができたとしても、装置の実装コストやネットワークの運用コストが大幅に高くなるという問題点があった。【０００７】  そのため、従来の移動通信システムでは、数１００ｍｓから数ｓ秒オーダーで、上りユーザデータの伝送速度の変更制御を行うのが通例である。【０００８】  したがって、従来の移動通信システムでは、図１５（ａ）に示すように、バースト的なデータ送信を行う場合、図１５（ｂ）に示すように、低速、高遅延及び低伝送効率を許容してデータを送信するか、又は、図１５（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。【０００９】  ただし、図１５において、縦軸の上り無線リソースには、上述の無線帯域リソース及びハードウエアリソースの両方が当てはめられるものとする。【００１０】そこで、第３世代移動通信システムの国際標準化団体である「３ＧＰＰ」及び「３ＧＰＰ２」において、上り無線リソースを有効利用するために、無線基地局ＮｏｄｅＢと移動局ＵＥとの間のレイヤ１及びＭＡＣサブレイヤ（レイヤ２）における高速な上り無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。【００１１】  ここで、図１６を用いて「上り回線エンハンスメント」におけるソフトハンドオーバー（以後、ＳＨＯと表す）について説明する。【００１２】  ステップＳ２００１において、���動局ＵＥは、セル＃１０を介して、上りユーザデータを送信するためのデータコネクション（Ｅ−ＤＰＤＣＨ）を無線回線制御局ＲＮＣと確立している。【００１３】  ステップＳ２００２において、移動局ＵＥは、セル＃２０からの共通パイロット信号の受信電力が、所定の値以上になった場合、測定報告（Ｍｅａｓｕｒｅｍｅｎｔ  ｒｅｐｏｒｔ）を無線回線制御局ＲＮＣに送信する。【００１４】  ステップＳ２００３において、無線回線制御局ＲＮＣは、当該測定報告に基づいて、セル＃２０に対して、セル＃２０と移動局ＵＥとの間の上り無線リンクの同期を要求する。【００１５】  具体的には、無線回線制御局ＲＮＣは、セル＃２０に対して、当該上り無線リンクにおけるチャネル構成を識別するチャネライゼーションコードと、移動局ＵＥを識別するスクランブリングコードとを含むＳＨＯ設定要求を送信する。【００１６】  ステップＳ２００４において、セル＃２０は、当該上り無線リンクの同期を確立する。【００１７】  具体的には、セル＃２０は、無線回線制御局ＲＮＣから受信したチャネライゼーションコードとスクランブリングコードとを用いて、当該上り無線リンクにおいて、移動局ＵＥから送信されているチャネルを検出することによって、セル＃２０と移動局ＵＥとの間の上り無線リンクの同期を確立する。当該上り無線リンクの同期が確立された場合、セル＃２０は、ＳＨＯ設定応答を送信する。また、セル＃２０は、当該移動局ＵＥに対して、下り無線リンクにおいて、ＤＰＣＨ等の送信を開始する。【００１８】  ステップＳ２００５において、無線回線制御局ＲＮＣは、移動局ＵＥに対して、移動局ＵＥとセル＃２０との間の下り無線リンクの同期を要求する。【００１９】  具体的には、無線回線制御局ＲＮＣは、移動局ＵＥに対して、当該下り無線リンクにおけるチャネル構成を識別するチャネライゼーションコードと、セル＃２０を識別するスクランブリングコードとを含むＳＨＯ設定要求を送信する。【００２０】  ステップＳ２００６において、移動局ＵＥは、当該下り無線リンクの同期を確立する。【００２１】  具体的には、移動局ＵＥは、無線回線制御局ＲＮＣから受信したチャネライゼーションコードとスクランブリングコードとを用いて、当該下り無線リンクにおいて、セル＃２０からのＤＰＣＨ等を検出することによって、当該下り無線リンクの同期を確立する。当該下り無線リンクの同期が確立された場合、移動局ＵＥは、ＳＨＯ設定応答を送信する。【００２２】  ステップＳ２００７において、無線回線制御局ＲＮＣは、セル＃１０及びセル＃２０に対して、移動局ＵＥが非ＳＨＯ状態からＳＨＯ状態に遷移したことを通知するＳＨＯ状態通知を送信する。【００２３】  このようにして「上り回線エンハンスメント」における移動局ＵＥは、ＳＨＯ状態において複数のセルと同時に接続することによって、通信の中断を回避するように構成されている。【００２４】  ここで、ある移動局ＵＥについて、移動局ＵＥと無線基地局ＮｏｄｅＢによって管理されているセルとの間で設定されている無線リンクの集合を「アクティブセット」と呼ぶ。【００２５】  例えば、移動局ＵＥがＳＨＯ状態と非ＳＨＯ状態との間で遷移する場合や、ＳＨＯ状態の移動局ＵＥが無線リンクを設定しているセルが変更になった場合に、上述のアクティブセットが更新される。
【非特許文献１】３ＧＰＰ  ＴＳＧ−ＲＡＮ  Ｒ２−０５１３９６
【非特許文献２】３ＧＰＰ  ＴＳＧ−ＲＡＮ  Ｒ２−０５１３４２
【発明の開示】
【発明が解決しようとする課題】
【００２６】  一般的に、周辺セルへの干渉の影響を考慮して、ＳＨＯ状態の移動局ＵＥにおける上りユーザデータの伝送速度と、非ＳＨＯ状態の移動局ＵＥにおける上りユーザデータの伝送速度とは、別々に制御されることが好ましい。【００２７】  しかしながら、従来の「上り回線エンハンスメント」が適用されている移動通信システムでは、各セルを管理している無線基地局ＮｏｄｅＢは、各セルとの間で無線リンクを設定している移動局ＵＥが、ＳＨＯ状態であるのか、又は、非ＳＨＯ状態であるのかについて識別することができないため、上述のような伝送速度制御を行うことができないという問題点があった。【００２８】  そこで、本発明は、上述の課題に鑑みてなされたものであり、「上り回線エンハンスメント」が適用されている移動通信システムにおいて、ＳＨＯ状態の移動局ＵＥにおける上りユーザデータの伝送速度と非ＳＨＯ状態の移動局ＵＥにおける上りユーザデータの伝送速度とを別々に制御することによって、セル全体の上り無線リンクの効率を上げることができる伝送速度制御方法及び無線回線制御局を提供することを目的とする。
【課題を解決するための手段】
【００２９】  本発明の第１の特徴は、移動局によって送信される上りユーザデータの伝送速度を制御する伝送速度制御方法であって、無線回線制御局が、複数のセルとの間で無線リンクを設定しているソフトハンドオーバー状態の移動局に対して割り当てるべき第１のテンポラリ識別子と、１つのセルとの間でのみ無線リンクを設定している非ソフトハンドオーバー状態の移動局に対して割り当てるべき第２のテンポラリ識別子とを管理しており、前記無線回線制御局が、前記移動局が前記ソフトハンドオーバー状態と前記非ソフトハンドオーバー状態との間で遷移することを決定する工程と、前記無線回線制御局が、前記遷移の決定に基づいて、前記移動局に対して、共通伝送速度制御における共通識別子として前記第１のテンポラリ識別子又は前記第２のテンポラリ識別子を割り当てる工程と、前記移動局との間で無線リンクを設定しているセルが、前記第１のテンポラリ識別子又は前記第２のテンポラリ識別子を用いて、該移動局における上りユーザデータの伝送速度の制御方法を変更する工程とを有することを要旨とする。【００３０】  本発明の第２の特徴は、移動局によって送信される上りユーザデータの伝送速度を制御する移動通信システムで用いられる無線回線制御局であって、複数のセルとの間で無線リンクを設定しているソフトハンドオーバー状態の移動局に対して割り当てるべき第１のテンポラリ識別子と、１つのセルとの間でのみ無線リンクを設定している非ソフトハンドオーバー状態の移動局に対して割り当てるべき第２のテンポラリ識別子とを管理するテンポラリ識別子管理部と、前記移動局が前記ソフトハンドオーバー状態と前記非ソフトハンドオーバー状態との間で遷移することを決定する遷移決定部と、前記遷移の決定に基づいて、前記移動局に対して、共通伝送速度制御における共通識別子として前記第１のテンポラリ識別子又は前記第２のテンポラリ識別子を割り当てるテンポラリ識別子割り当て部とを具備することを要旨とする。
【発明の効果】
【００３１】  以上説明したように、本発明によれば、「上り回線エンハンスメント」が適用されている移動通信システムにおいて、ＳＨＯ状態の移動局ＵＥにおける上りユーザデータの伝送速度と非ＳＨＯ状態の移動局ＵＥにおける上りユーザデータの伝送速度とを別々に制御することによって、セル全体の上り無線リンクの効率を上げることができる伝送速度制御方法及び無線回線制御局を提供することができる。
【発明を実施するための最良の形態】
【００３２】（本発明の第１の実施形態に係る移動通信システム）
図１乃至図１２を参照して、本発明の第１の実施形態に係る移動通信システムの構成について説明する。本実施形態に係る移動通信システムは、通信容量や通信品質等の通信性能を向上させることを目的として設計されている。また、本実施形態に係る移動通信システムは、第３世代移動通信システムである「Ｗ−ＣＤＭＡ」や「ＣＤＭＡ２０００」に適応可能である。【００３３】  図１の例では、無線基地局ＮｏｄｅＢ＃１によって管理されているセル＃３が、移動局ＵＥによって送信される上りユーザデータの伝送速度を主として制御するサービングセルであり、無線基地局ＮｏｄｅＢ＃２によって管理されているセル＃１が、サービングセル以外で移動局ＵＥとの間で無線リンクが設定されている非サービングセルである。【００３４】  かかる場合、セル＃３（移動局ＵＥのサービングセル）が、移動局ＵＥに対して、Ｅ−ＡＣＧＨを送信するように構成されており、移動局ＵＥが、セル＃３（移動局ＵＥのサービングセル）に対して、Ｅ−ＤＰＣＣＨ及びＥ−ＤＰＤＣＨを送信するように構成されている。【００３５】  一方、かかる場合、セル＃１（移動局ＵＥの非サービングセル）が、移動局ＵＥに対して、Ｅ−ＲＣＧＨを送信するように構成されている。【００３６】  図２に、本実施形態に係る移動局ＵＥの概要構成例を示す。図１に示すように、移動局ＵＥは、バスインターフェース部１１と、呼処理制御部１２と、ベースバンド信号処理部１３と、送受信部１４と、送受信アンテナ１５とを具備する。また、移動局ＵＥは、アンプ部（図示せず）を具備するように構成されていてもよい。【００３７】  ただし、これらの構成は、必ずしもハードウエアとして独立して存在している必要はない。すなわち、各構成が、合体していてもよいし、ソフトウエアのプロセスによって構成されていてもよい。【００３８】  図３に、ベースバンド信号処理部１３の機能ブロックを示す。図２に示すように、ベースバンド信号処理部１３は、上位レイヤ機能部１３１と、ＲＬＣサブレイヤとして機能するＲＬＣ機能部１３２と、ＭＡＣ−ｄ機能部１３３と、ＭＡＣ−ｅ機能部１３４と、レイヤ１として機能するレイヤ１機能部１３５とを具備している。【００３９】  図４に示すように、ＲＬＣ機能部１３２は、上位レイヤ機能部１３１から受信したアプリケーションデータ（ＲＬＣ  ＳＤＵ）を、予め決められたＰＤＵサイズに分割し、順序整理処理や再送処理等に用いるＲＬＣヘッダを付与することによって、ＲＬＣ  ＰＤＵを生成して、ＭＡＣ−ｄ機能部１３３に渡す。【００４０】  ここで、ＲＬＣ機能部１３２とＭＡＣ−ｄ機能部１３３との間の橋渡しとして機能するパイプを「論理チャネル」とする。論理チャネルは、送受信するデータの内容によって分類され、通信を行う場合、１つのコネクションにおいて複数の論理チャネルを持つことが可能である。すなわち、複数の内容のデータ（例えば、制御データ及びユーザデータ等）を論理的に並列して送受信することができる。【００４１】  ＭＡＣ−ｄ機能部１３３は、論理チャネルを多重し、かかる多重に伴うＭＡＣ−ｄヘッダを付与することによって、ＭＡＣ−ｄ  ＰＤＵを生成する。なお、複数のＭＡＣ−ｄ  ＰＤＵは、ＭＡＣ−ｄフローとして、ＭＡＣ���ｄ機能部１３３からＭＡＣ−ｅ機能部１３４に転送されるものとする。【００４２】  ＭＡＣ−ｅ機能部１３４は、ＭＡＣ−ｄ機能部１３３からＭＡＣ−ｄフローとして受信した複数のＭＡＣ−ｄ  ＰＤＵをまとめてＭＡＣ−ｅヘッダを付与することによって、トランスポートブロックを生成し、生成したトランスポートブロックを、トランスポートチャネルを介してレイヤ１機能部１３５に渡す。【００４３】  また、ＭＡＣ−ｅ機能部１３４は、ＭＡＣ−ｄ機能部１３３の下位レイヤとして機能するものであって、ハイブリッドＡＲＱ（ＨＡＲＱ）による再送制御機能や、伝送速度制御機能を行うものである。【００４４】  具体的には、ＭＡＣ−ｅ機能部１３４は、図５に示すように、多重部１３４ａと、Ｅ−ＴＦＣ選択部１３４ｂと、ＨＡＲＱ処理部１３４ｃとを具備している。【００４５】  多重部１３４ａは、Ｅ−ＴＦＣ選択部１３４ｂから通知されたＥ−ＴＦＩ（Ｅｎｈａｎｃｅｄ−Ｔｒａｎｓｐｏｒｔ  Ｆｏｒｍａｔ  Ｉｎｄｉｃａｔｏｒ）に基づいて、ＭＡＣ−ｄ機能部１３３からＭＡＣ−ｄフローとして受信した上りユーザデータに対して多重化処理を行い、トランスポートチャネル（Ｅ−ＤＣＨ）を介して送信すべき上りユーザデータ（トランスポートブロック）を生成して、ＨＡＲＱ処理部１３４ｃに送信するように構成されている。【００４６】  以下、ＭＡＣ−ｄフローとして受信した上りユーザデータを「上りユーザデータ（ＭＡＣ−ｄフロー）」と示し、トランスポートチャネル（Ｅ−ＤＣＨ）を介して送信すべき上りユーザデータを「上りユーザデータ（Ｅ−ＤＣＨ）」と示す。【００４７】  ここで、Ｅ−ＴＦＩは、トランスポートチャネル（Ｅ−ＤＣＨ）上でＴＴＩごとにトランスポートブロックを供給するフォーマットであるトランスポートフォーマットの識別子であり、上述のＭＡＣ−ｅヘッダに付与されるものである。【００４８】  また、多重部１３４ａは、Ｅ−ＴＦＣ選択部１３４ｂから通知されたＥ−ＴＦＩに基づいて、上りユーザデータに適用される送信データブロックサイズを判断して、ＨＡＲＱ処理部１３４ｃに通知するように構成されている。【００４９】  なお、多重部１３４ａは、ＭＡＣ−ｄ機能部１３３からＭＡＣ−ｄフローとして上りユーザデータを受信した場合、当該上りユーザデータ用のトランスポートフォーマットを選択するためのＥ−ＴＦＣ選択情報を、Ｅ−ＴＦＣ選択部１３４ｂに通知するように構成されている。【００５０】  ここで、Ｅ−ＴＦＣ選択情報には、上りユーザデータのデータサイズや優先度クラス等が該当する。【００５１】  ＨＡＲＱ処理部１３４ｃは、Ｎチャネルのストップアンドウェイト（Ｎ−ＳＡＷ）プロトコルによって、レイヤ１機能部１３５から通知された上りユーザデータ用のＡＣＫ／ＮＡＣＫに基づいて、上りユーザデータ（Ｅ−ＤＣＨ）に係る再送制御処理を行うように構成されている。【００５２】  また、ＨＡＲＱ処理部１３４ｃは、多重部１３４ａから受信した上りユーザデータ（Ｅ−ＤＣＨ）、及び、ＨＡＲＱ処理に用いられるＨＡＲＱ情報（例えば、再送番号等）を、レイヤ１機能部１３５に送信するように構成されている。【００５３】  Ｅ−ＴＦＣ選択部１３４ｂは、上りユーザデータ（Ｅ−ＤＣＨ）に適���するトランスポートフォーマット（Ｅ−ＴＦ）を選択することによって、当該上りユーザデータの伝送速度を決定するように構成されている。【００５４】  具体的には、Ｅ−ＴＦＣ選択部１３４ｂは、無線基地局ＮｏｄｅＢから受信したスケジューリング情報（例えば、上りユーザデータの絶対伝送速度や相対伝送速度）や、ＭＡＣ−ｄ機能部１３３から渡されたＭＡＣ−ｄ  ＰＤＵのデータ量（上りユーザデータのデータサイズ）や、ＭＡＣ−ｅ機能部１３４において管理されている無線基地局ＮｏｄｅＢのハードウエアリソースの状態等に基づいて、上りユーザデータの送信実行又は送信停止を決定し、さらに、当該上りユーザデータの送信に適用されるトランスポートフォーマット（Ｅ−ＴＦ）を選択し、当該トランスポートフォーマットを識別するためのＥ−ＴＦＩをレイヤ１機能部１３５及び多重部１３４ａに通知するように構成されている。【００５５】  例えば、Ｅ−ＴＦＣ選択部１３４ｂは、上りユーザデータの伝送速度と、トランスポートフォーマットとを関連付けて記憶しており、レイヤ１機能部１３５からのスケジューリング情報に基づいて上りユーザデータの伝送速度を更新して、更新した上りユーザデータの伝送速度に関連付けられているトランスポートフォーマットを識別するためのＥ−ＴＦＩをレイヤ１機能部１３５及び多重部１３４ａに通知するように構成されている。【００５６】  また、Ｅ−ＴＦＣ選択部１３４ｂは、無線回線制御局ＲＮＣによって割り当てられたテンポラリ識別子（共通識別子）を用いて、上りユーザデータを送信するように構成されている。かかるテンポラリ識別子には、ＳＨＯ状態である移動局ＵＥに対して割り当てられる第１のテンポラリ識別子、及び、非ＳＨＯ状態である移動局ＵＥに対して割り当てられる第２のテンポラリ識別子が含まれる。なお、かかるテンポラリ識別子は、共通伝送速度制御における共通識別子として利用される。【００５７】  ここで、Ｅ−ＴＦＣ選択部１３４ｂは、Ｅ−ＡＧＣＨを介して、スケジューリング情報として、移動局ＵＥのサービングセルからの上りユーザデータの絶対伝送速度を受信した場合、上りユーザデータの伝送速度を当該上りユーザデータの絶対伝送速度に変更する。【００５８】  また、Ｅ−ＴＦＣ選択部１３４ｂは、Ｅ−ＲＧＣＨを介して、スケジューリング情報として、移動局ＵＥの非サービングセルからの上りユーザデータの相対伝送速度（ＵＰコマンド又はＤＯＷＮコマンド）を受信した場合、その時点における上りユーザデータの伝送速度を、上りユーザデータの相対伝送速度に基づいて予め決められている速度だけ増加又は減少させる。【００５９】  また、移動局ＵＥが、Ｅ−ＴＦＣ選択部１３４ｂは、個別伝送速度制御を行っている場合、Ｅ−ＴＦＣ選択部１３４ｂは、サービングセルから個別Ｅ−ＡＧＣＨを介して受信した個別絶対伝送速度に基づいて上りユーザデータの伝送速度を制御するように構成されている。【００６０】  一方、移動局ＵＥが、共通伝送速度制御を行っている場合、Ｅ−ＴＦＣ選択部１３４ｂは、サービングセルから共通Ｅ−ＡＧＣＨを介して受信した共通絶対伝送速度に基づいて上りユーザデータの伝送速度を制御するように構成されている。【００６１】  ここで���個別Ｅ−ＡＧＣＨは、移動局ＵＥ用の個別識別子を用いて送信されるように構成されており、共通Ｅ−ＡＧＣＨは、所定条件を満たす移動局（例えば、ＳＨＯ状態の移動局又は非ＳＨＯ状態の移動局）用の共通識別子（第１のテンポラリ識別子又は第２のテンポラリ識別子）を用いて送信されるように構成されている。【００６２】  本明細書において、上りユーザデータの伝送速度は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して上りユーザデータを送信可能な速度であってもよいし、上りユーザデータを送信するための送信データブロックサイズ（ＴＢＳ）であってもよいし、Ｅ−ＤＰＤＣＨの送信電力であってもよいし、Ｅ−ＤＰＤＣＨとＤＰＣＣＨ（Ｄｅｄｉｃａｔｅｄ  Ｐｈｙｓｉｃａｌ  Ｃｏｎｔｒｏｌ  Ｃｈａｎｎｅｌ）との送信電力比（送信電力オフセット）であってもよい。【００６３】  図６に示すように、レイヤ１機能部１３５は、伝送チャネル符号化部１３５ａと、物理チャネルマッピング部１３５ｂと、Ｅ−ＤＰＤＣＨ送信部１３５ｃと、Ｅ−ＤＰＣＣＨ送信部１３５ｄと、Ｅ−ＨＩＣＨ受信部１３５ｅと、Ｅ−ＲＧＣＨ受信部１３５ｆと、Ｅ−ＡＧＣＨ受信部１３５ｇと、物理チャネルデマッピング部１３５ｈと、ＤＰＣＨ送信部１３５ｉとを具備している。【００６４】  伝送チャネル符号化部１３５ａは、図８に示すように、ＦＥＣ（Ｆｏｒｗａｒｄ  Ｅｒｒｏｒ  Ｃｏｌｌｅｃｔｉｏｎ）符号化部１３５ａ１と、伝送速度整合部１３５ａ２とを具備している。【００６５】  図７に示すように、ＦＥＣ符号化部１３５ａ１は、ＭＡＣ−ｅ機能部１３４から送信された上りユーザデータ（Ｅ−ＤＣＨ）、すなわち、トランスポートブロックに対して、誤り訂正符号化処理を施すように構成されている。【００６６】  また、図７に示すように、伝送速度整合部１３５ａ２は、誤り訂正符号化処理を施したトランスポートブロックに対して、物理チャネルの伝送容量に合わせるための「レペティション（ビット繰り返し）」や「パンクチャ（ビットの間引き）」を施すように構成されている。【００６７】  物理チャネルマッピング部１３５ｂは、伝送チャネル符号化部１３５ａからの上りユーザデータ（Ｅ−ＤＣＨ）をＥ−ＤＰＤＣＨにマッピングし、伝送チャネル符号化部１３５ａからのＥ−ＴＦＩ及びＨＡＲＱ情報をＥ−ＤＰＣＣＨにマッピングするように構成されている。【００６８】  Ｅ−ＤＰＤＣＨ送信部１３５ｃは、上述のＥ−ＤＰＤＣＨについての送信処理を行うように構成されており、Ｅ−ＤＰＣＣＨ送信部１３５ｄは、上述のＥ−ＤＰＣＣＨについての送信処理を行うように構成されている。【００６９】  Ｅ−ＨＩＣＨ受信部１３５ｅは、無線基地局ＮｏｄｅＢから送信されたＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）を受信するように構成されている。【００７０】  Ｅ−ＲＧＣＨ受信部１３５ｆは、無線基地局ＮｏｄｅＢ（移動局ＵＥのサービングセル及び非サービングセル）から送信されたＥ−ＲＧＣＨを受信するように構成されている。【００７１】  また、Ｅ−ＡＧＣＨ受信部１３５ｇは、無線基地局ＮｏｄｅＢ（移動局ＵＥのサービングセル）から送信されたＥ−ＡＧＣＨを受信するように構成されている。具体的には、Ｅ−ＡＧＣＨ受信部１３５ｇは、移動局ＵＥ用の個別識別子を用いて送信されている個別Ｅ−ＡＧＣＨ、及び、所定条件を満たす移動局ＵＥ用の共通識別子（第１のテンポラリ識別子又は第１のテンポラリ識別子）を用いて送信されている共通Ｅ−ＡＧＣＨを受信するように構成されている。【００７２】  ＤＰＣＨ受信部１３５ｉは、無線基地局ＮｏｄｅＢから送信されたＤＰＣＨ（Ｄｅｄｉｃａｔｅｄ  Ｐｈｙｓｉｃａｌ  Ｃｈａｎｎｅｌ）を受信するように構成されている。ここで、ＤＰＣＨには、ＤＰＤＣＨ（Ｄｅｄｉｃａｔｅｄ  Ｐｈｙｓｉｃａｌ  Ｄａｔａ  Ｃｈａｎｎｅｌ）及びＤＰＣＣＨ（Ｄｅｄｉｃａｔｅｄ  Ｐｈｙｓｉｃａｌ  Ｃｏｎｔｒｏｌ  Ｃｈａｎｎｅｌ）が含まれる。【００７３】  物理チャネルデマッピング部１３５ｈは、Ｅ−ＨＩＣＨ受信部１３５ｅにより受信されたＥ−ＨＩＣＨに含まれる上りユーザデータ用のＡＣＫ／ＮＡＣＫを抽出してＭＡＣ−ｅ機能部１３４に送信するように構成されている。【００７４】  また、物理チャネルデマッピング部１３５ｈは、Ｅ−ＲＧＣＨ受信部１３５ｆにより受信されたＥ−ＲＧＣＨに含まれるスケジューリング情報（上りユーザデータの相対伝送速度、すなわち、ＵＰコマンド／ＤＯＷＮコマンド）を抽出してＭＡＣ−ｅ機能部１３４に送信するように構成されている。【００７５】  また、物理チャネルデマッピング部１３５ｈは、Ｅ−ＡＧＣＨ受信部１３５ｇにより受信されたＥ−ＡＧＣＨに含まれるスケジューリング情報（上りユーザデータの絶対伝送速度）を抽出してＭＡＣ−ｅ機能部１３４に送信するように構成されている。【００７６】  具体的には、物理チャネルデマッピング部１３５ｈは、Ｅ−ＡＧＣＨ受信部１３５ｇにより受信された個別Ｅ−ＡＧＣＨに含まれる個別絶対伝送速度を抽出してＭＡＣ−ｅ機能部１３４に送信するように構成されている。【００７７】  また、物理チャネルデマッピング部１３５ｈは、Ｅ−ＡＧＣＨ受信部１３５ｇにより受信された共通Ｅ−ＡＧＣＨに含まれる共通絶対伝送速度を抽出してＭＡＣ−ｅ機能部１３４に送信するように構成されている。【００７８】  また、物理チャネルデマッピング部１３５ｈは、ＤＰＣＨ受信部１３５ｉにより受信されたＤＰＣＣＨに含まれるテンポラリ識別子を抽出してＭＡＣ−ｅ機能部１３４に送信するように構成されている。【００７９】  図８は、本実施形態に係る無線基地局ＮｏｄｅＢの機能ブロック構成例である。図８に示すように、本実施形態に係る無線基地局ＮｏｄｅＢは、ＨＷＹインターフェース２１と、ベースバンド信号処理部２２と、送受信部２３と、アンプ部２４と、呼処理制御部２６と、送受信アンテナ２５とを具備する。【００８０】  ＨＷＹインターフェース２１は、当該無線基地局ＮｏｄｅＢの上位に位置する無線回線制御局ＲＮＣから、送信すべき下りユーザデータを受信して、ベースバンド信号処理部２２に入力するように構成されている。また、ＨＷＹインターフェース２１は、ベースバンド信号処理部２２からの上りユーザデータを、無線回線制御局ＲＮＣに送信するように構成されている。【００８１】  ベースバンド信号処理部２２は、下りユーザデータに対してチャネル符号化処理や拡散処理等のレイヤ１処理を行った後、かかる下りユーザデータを含むベースバンド信号を送受信部２３に送信するように構成されている。【００８２】  また、ベースバンド信号処理部２２は、ベースバンド信号処理部２２からのベースバンド信号に対して、逆拡散処理やＲＡＫＥ合成処理や、誤り訂正復号化処理等のレイヤ１処理を行った後、取得した上りユーザデータをＨＷＹインターフェース２１に送信するように構成されている。【００８３】  送受信部２３は、ベースバンド信号処理部２２からのベースバンド信号を無線周波数帯信号に変換するように構成されている。また、送受信部２３は、アンプ部２４からの無線周波数帯信号をベースバンド信号に変換するように構成されている。【００８４】  アンプ部２４は、送受信部２３からの無線周波数帯信号を増幅して、送受信アンテナ２５を介して送信するように構成されている。また、アンプ部２４は、送受信アンテナ２５において受信された信号を増幅して送受信部２３に送信するように構成されている。【００８５】  呼処理制御部２６は、無線回線制御局ＲＮＣとの間で、呼処理制御信号の送受信を行い、当該無線基地局ＮｏｄｅＢの各機能部の状態管理や、レイヤ３によるハードウエアリソース割り当て等の処理を行うように構成されている。【００８６】  図９は、ベースバンド信号処理部２２の機能ブロック図である。図９に示すように、ベースバンド信号処理部２２は、レイヤ１機能部２２１と、ＭＡＣ−ｅ機能部２２２とを具備している。【００８７】  図１０に示すように、レイヤ１機能部２２１は、Ｅ−ＤＰＣＣＨ逆拡散・ＲＡＫＥ合成部２２１ａと、Ｅ−ＤＰＣＣＨ復号部２２１ｂと、Ｅ−ＤＰＤＣＨ逆拡散・ＲＡＫＥ合成部２２１ｃと、バッファ２２１ｄと、再逆拡散部２２１ｅと、ＨＡＲＱバッファ２２１ｆと、誤り訂正復号部２２１ｇと、伝送チャネル符号化部２２１ｈと、物理マッピング部２２１ｉと、Ｅ−ＨＩＣＨ送信部２２１ｊと、Ｅ−ＡＧＣＨ送信部２２１ｋと、Ｅ−ＲＧＣＨ送信部２２１ｌと、ＤＰＣＨ送信部２２１ｍとを具備している。【００８８】  なお、これらの構成は、必ずしもハードウエアとして独立して存在している必要はない。すなわち、各構成が、合体していてもよいし、ソフトウエアのプロセスによって構成されていてもよい。【００８９】  Ｅ−ＤＰＣＣＨ逆拡散・ＲＡＫＥ部２２１ａは、Ｅ−ＤＰＣＣＨに対して逆拡散処理及びＲＡＫＥ合成処理を施すように構成されている。【００９０】  Ｅ−ＤＰＣＣＨ復号部２２１ｂは、Ｅ−ＤＰＣＣＨ逆拡散・ＲＡＫＥ部２２１ａからの出力に基づいて、上りユーザデータの伝送速度を判定するためのＥ−ＴＦＣＩ（又は、Ｅ−ＴＦＲＩ：Ｅｎｈａｎｃｅｄ  Ｔｒａｎｓｐｏｒｔ  Ｆｏｒｍａｔ  ａｎｄ  Ｒｅｓｏｕｒｃｅ  Ｉｎｄｉｃａｔｏｒ）を復号して、ＭＡＣ−ｅ機能部２２ｃに送信するように構成されている。【００９１】  Ｅ−ＤＰＤＣＨ逆拡散・ＲＡＫＥ合成部２２１ｃは、Ｅ−ＤＰＤＣＨに対して、Ｅ−ＤＰＤＣＨが取り得る最高レートに対応する拡散率（最小の拡散率）及びマルチコード数を用いて逆拡散処理を施して、バッファ２２１ｄに蓄積するように構成されている。かかる拡散率及びマルチコード数を用いて逆拡散処理を行うことによって、移動局ＵＥが取り得る最高レート（ビットレート）まで受信できるようにリソースを確保することができる。【００９２】  再逆拡散部２２１ｅは、ＭＡＣ−ｅ機能部２２２から通知された拡散率及びマルチコード数を用いて、バッファ２２１ｄに記憶されているデータに対して再逆拡散処理を施して、ＨＡＲＱバッファ２２１ｆに蓄積するように構成されている。【００９３】  誤り訂正復号部２２１ｇは、ＭＡＣ−ｅ機能部２２２から通知された符号化レートに基づいて、バッファ２２１ｄに記憶されているデータに対して誤り訂正復号処理を施すことによって取得した上りユーザデータ（Ｅ−ＤＣＨ）をＭＡＣ−ｅ機能部２２２に送信するように構成されている。【００９４】  伝送チャネル符号化部２２１ｈは、ＭＡＣ−ｅ機能部２２２から受信した上りユーザデータ用のＡＣＫ／ＮＡＣＫ及びスケジューリング情報について、必要な符号化処理を施すように構成されている。【００９５】  物理チャネルマッピング部２２１ｉは、伝送チャネル符号化部２２１ｈからの上りユーザデータ用のＡＣＫ／ＮＡＣＫをＥ−ＨＩＣＨにマッピングし、伝送チャネル符号化部２２１ｈからのスケジューリング情報（絶対伝送速度）をＥ−ＡＧＣＨにマッピングし、伝送チャネル符号化部２２１ｈからのスケジューリング情報（相対伝送速度）をＥ−ＲＧＣＨにマッピングするように構成されている。【００９６】  Ｅ−ＨＩＣＨ送信部２２１ｊは、上述のＥ−ＨＩＣＨについての送信処理を行うように構成されており、Ｅ−ＡＧＣＨ送信部２２１ｋは、上述のＥ−ＡＧＣＨについての送信処理を行うように構成されており、Ｅ−ＲＧＣＨ送信部２２１ｌは、上述のＥ−ＲＧＣＨについての送信処理を行うように構成されている。【００９７】  図１１に示すように、ＭＡＣ−ｅ機能部２２２は、ＨＡＲＱ処理部２２２ａと、受信処理命令部２２２ｂと、スケジューリング部２２２ｃと、多重化解除部２２２ｄとしている。【００９８】  ＨＡＲＱ処理部２２２ａは、レイヤ１機能部２２１から受信した上りユーザデータ（Ｅ−ＤＣＨ）及びＨＡＲＱ情報を受信して、当該上りユーザデータ（Ｅ−ＤＣＨ）についてのＨＡＲＱ処理を行うように構成されている。【００９９】  また、ＨＡＲＱ処理部２２２ａは、当該上りユーザデータ（Ｅ−ＤＣＨ）についての受信処理結果を示すＡＣＫ／ＮＡＣＫ（上りユーザデータ用）をレイヤ１機能部２２１に通知するように構成されている。また、ＨＡＲＱ処理部２２２ａは、プロセスごとのＡＣＫ／ＮＡＣＫ（上りユーザデータ用）をスケジューリング部２２２ｃに通知するように構成されている。【０１００】  受信処理命令部２２２ｂは、レイヤ１機能部２２１のＥ−ＤＰＣＣＨ復号部２２１ｂから受信したＴＴＩごとのＥ−ＴＦＣＩによって特定された各移動局ＵＥのトランスポートフォーマットに係る拡散率及びマルチコード数を再逆拡散部２２１ｅ及びＨＡＲＱバッファ２２１ｆに通知し、符号化レートを誤り訂正復号部２２１ｇに通知するように構成されている。【０１０１】  スケジューリング部２２２ｃは、レイヤ１機能部２２１のＥ−ＤＰＣＣＨ復号部２２１ｂから受信したＴＴＩごとのＥ−ＴＦＣＩや、ＨＡＲＱ処理部２２２ａか���受信したプロセスごとのＡＣＫ／ＮＡＣＫや、干渉レベル等に基づいて、上述の上りユーザデータの絶対伝送速度又は相対伝送速度を変更するように構成されている。【０１０２】  なお、スケジューリング部２２２ｃは、スケジューリング情報として、かかる上りユーザデータの絶対伝送速度又は相対伝送速度を、ＤＣＨを介してレイヤ１機能部２２１に通知するように構成されている。【０１０３】  また、スケジューリング部２２２ｃは、個別伝送速度制御に用いる上りユーザデータの個別絶対伝送速度又は共通伝送速度制御に用いる上りユーザデータの共通絶対伝送速度を、ＤＣＨを介してレイヤ１機能部２２１に通知するように構成されている。【０１０４】  また、スケジューリング部２２２ｃは、移動局ＵＥに対して共通伝送速度制御における共通識別子としてのテンポラリ識別子（第１のテンポラリ識別子又は第２のテンポラリ識別子）を用いて、移動局ＵＥにおける上りユーザデータの伝送速度をの制御するように構成されている。【０１０５】  具体的には、スケジューリング部２２２ｃは、第１のテンポラリ識別子を含む共通Ｅ−ＡＣＧＨを介してＳＨＯ状態の移動局ＵＥにおける共通絶対伝送速度を送信するように決定し、第２のテンポラリ識別子を含む共通Ｅ−ＡＣＧＨを介して非ＳＨＯ状態の移動局ＵＥにおける共通絶対伝送速度を送信するように決定する。  多重化解除部２２２ｄは、ＨＡＲＱ処理部２２２ａから受信した上りユーザデータ（Ｅ−ＤＣＨ）に対して多重化解除処理を施すことによって取得した上りユーザデータをＨＷＹインターフェース２１に送信するように構成されている。【０１０６】  本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。【０１０７】  図１２に示すように、本実施形態に係る無線回線制御局ＲＮＣは、交換局インターフェース３１と、ＬＬＣレイヤ処理部３２と、ＭＡＣレイヤ処理部３３と、メディア信号処理部３４と、無線基地局インターフェース３５と、呼処理制御部３６とを具備している。【０１０８】  交換局インターフェース３１は、交換局１とのインターフェースである。交換局インターフェース３１は、交換局１から送信された下りリンク信号をＬＬＣレイヤ処理部３２に転送し、ＬＬＣレイヤ処理部３２から送信された上りリンク信号を交換局１に転送するように構成されている。【０１０９】  ＬＬＣレイヤ処理部３２は、シーケンスパターン番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部３２は、ＬＬＣサブレイヤ処理を施した後、上りリンク信号については交換局インターフェース３１に送信し、下りリンク信号についてはＭＡＣレイヤ処理部３３に送信するように構成されている。【０１１０】  ＭＡＣレイヤ処理部３３は、優先制御処理やヘッダ付与処理等のＭＡＣレイヤ処理を施すように構成されている。ＭＡＣレイヤ処理部３３は、ＭＡＣレイヤ処理を施した後、上りリンク信号についてはＬＬＣレイヤ処理部３２に送信し、下りリンク信号については無線基���局インターフェース３５（又は、メディア信号処理部３４）に送信するように構成されている。【０１１１】  メディア信号処理部３４は、音声信号やリアルタイムの画像信号に対して、メディア信号処理を施すように構成されている。メディア信号処理部３４は、メディア信号処理を施した後、上りリンク信号についてはＭＡＣレイヤ処理部３３に送信し、下りリンク信号については無線基地局インターフェース３５に送信するように構成されている。【０１１２】  無線基地局インターフェース３５は、無線基地局ＮｏｄｅＢとのインターフェースである。無線基地局インターフェース３５は、無線基地局ＮｏｄｅＢから送信された上りリンク信号をＭＡＣレイヤ処理部３３（又は、メディア信号処理部３４）に転送し、ＭＡＣレイヤ処理部３３（又は、メディア信号処理部３４）から送信された下りリンク信号を無線基地局ＮｏｄｅＢに転送するように構成されている。【０１１３】  呼処理制御部３６は、無線リソース管理処理や、レイヤ３シグナリングによるチャネルの設定及び開放処理等を施すように構成されている。ここで、無線リソース管理には、呼受付制御やハンドオーバー制御等が含まれる。【０１１４】  また、呼処理制御部３６は、図１２に示すように、複数のセルとの間で無線リンクを設定しているソフトハンドオーバー状態の移動局に対して割り当てるべき第１のテンポラリ識別子と、１つのセルとの間でのみ無線リンクを設定している非ソフトハンドオーバー状態の移動局に対して割り当てるべき第２のテンポラリ識別子とを管理するように構成されている。【０１１５】  また、呼処理制御部３６は、上述の測定報告等に基づいて、移動局ＵＥがソフトハンドオーバー状態と非ソフトハンドオーバー状態との間で遷移することを決定するように構成されている。【０１１６】  また、呼処理制御部３６は、上述の遷移の決定に基づいて、移動局ＵＥに対して、共通伝送速度制御における共通識別子として第１のテンポラリ識別子又は第２のテンポラリ識別子を割り当てるように構成されている。【０１１７】（本発明の第１の実施形態に係る移動通信システムの動作）
以下、図１３を参照して、本実施形態に係る移動通信システムの動作について説明する。具体的には、本実施形態に係る移動通信システムにおいて、上りユーザデータの伝送速度を制御する動作について説明する。【０１１８】  図１３に示すように、ステップＳ１００１において、移動局ＵＥは、セル＃１０を介して、上りユーザデータを送信するためのデータコネクション（Ｅ−ＤＰＤＣＨ）を無線回線制御局ＲＮＣと確立している。【０１１９】  ステップＳ１００２において、移動局ＵＥは、セル＃２０からの共通パイロット信号の受信電力が、所定の値以上になった場合、測定報告（Ｍｅａｓｕｒｅｍｅｎｔ  ｒｅｐｏｒｔ）を無線回線制御局ＲＮＣに送信する。【０１２０】  ステップＳ１００３において、無線回線制御局ＲＮＣは、当該測定報告に基づいて、移動局ＵＥが、セル＃１０とセル＃２０との間で無線リンクを設定するＳＨＯ状態に遷移することを決定する。【０１２１】  そして、無線回線制御局ＲＮＣは、セル＃１０とセル＃２０と移動局ＵＥとに対して、セル＃２０と移動局ＵＥとの間の上り無線リンク及び下り無線リンクの同期を要求するためのＳＨＯ設定要求を送信する。【０１２２】  ここで、無線回線制御局ＲＮＣは、移動局ＵＥに対して、共通伝送速度制御における共通識別子として上述の第１のテンポラリ識別子（Ｅ−ＲＮＴＩ：Ｅｎｈａｎｃｅｄ  Ｒａｄｉｏ  Ｎｅｔｗｏｒｋ  Ｔｅｍｐｏｒａｒｙ  Ｉｄｅｎｔｉｔｙ）を割り当てて、ＳＨＯ設定要求において、割り当てた第１のテンポラリ識別子を通知するように構成されていてもよい。  ステップＳ１００４において、セル＃２０が、上り無線リンクの同期が確立されたことを通知するためのＳＨＯ設定応答を無線回線制御局ＲＮＣに送信すると共に、移動局ＵＥは、下り無線リンクの同期が確立されたことを通知するためのＳＨＯ設定応答を送信する。【０１２３】  ステップＳ１００５において、当該上り無線リンク及び下り無線リンクの同期が確立されて、移動局ＵＥのＳＨＯ状態が開始される。ここで、移動局ＵＥは、ステップＳ１００２で割り当てられた第１のテンポラリ識別子を用いて、セル＃１０及びセル＃２０に対して上りユーザデータを送信する。【０１２４】  そして、セル＃１０（サービングセル）は、共通伝送速度制御における共通識別子としてテンポラリ識別子（第１のテンポラリ識別子又は第２のテンポラリ識別子）を用いて、移動局ＵＥにおける上りユーザデータの伝送速度を制御する。【０１２５】（本発明の第１の実施形態に係る移動通信システムの作用・効果）
本実施形態に係る移動通信システムによれば、「上り回線エンハンスメント」が適用されている移動通信システムにおいて、ＳＨＯ状態の移動局ＵＥにおける上りユーザデータの伝送速度と非ＳＨＯ状態の移動局ＵＥにおける上りユーザデータの伝送速度とを別々に制御することによって、セル全体の上り無線リンクの効率を上げることができる。
【図面の簡単な説明】
【０１２６】
【図１】本発明の第１の実施形態に係る移動通信システムの全体構成図である。
【図２】本発明の第１の実施形態に係る移動局の機能ブロック図である。
【図３】本発明の第１の実施形態に係る移動局のベースバンド信号処理部の機能ブロック図である。
【図４】本発明の第１の実施形態に係る移動局のベースバンド信号処理部の機能を説明するための図である。
【図５】本発明の第１の実施形態に係る移動局のベースバンド信号処理部におけるＭＡＣ−ｅ機能部の機能ブロック図である
【図６】本発明の第１の実施形態に係る移動局のベースバンド信号処理部におけるレイヤ１機能部の機能ブロック図である。
【図７】本発明の第１の実施形態に係る移動局のベースバンド信号処理部におけるレイヤ１機能部の機能を説明するための図である。
【図８】本発明の第１の実施形態に係る無線基地局の機能ブロック図である。
【図９】本発明の第１の実施形態に係る無線基地局のベースバンド信号処理部の機能ブロック図である。
【図１０】本発明の第１の実施形態に係る無線基地局のベースバンド信号処理部におけるレイヤ１機能部の機能ブロック図である。
【図１１】本発明の第１の実施形態に係る無線基地局のベースバンド信号処理部におけるＭＡＣ−ｅ機能部の機能ブロック図である。
【図１２】本発明の第１の実施形態に係る無線回線制御局の機能ブロック図である。
【図１３】本発明の第１の実施形態に係る移動通信システムにおける伝送速度制御方法の動作を示すシーケンス図である。
【図１４】一般的な移動通信システムの全体構成図である。
【図１５】従来技術に係る移動通信システムにおいて上りユーザデータの伝送速度を制御する方法を説明するための図である。
【図１６】従来技術に係る移動通信システムにおける伝送速度制御方法の動作を示すシーケンス図である。
【符号の説明】
【０１２７】１…交換局、ＵＥ…移動局、１１…バスインターフェース、１２…呼処理制御部、１３…ベースバンド信号処理部、１３１…上位レイヤ機能部、１３２…ＲＬＣ機能部、１３３…ＭＡＣ−ｄ機能部、１３４…ＭＡＣ−ｅ機能部、１３４ａ…多重部、１３４ｂ…Ｅ−ＴＦＣ選択部、１３４ｃ…ＨＡＲＱ処理部、１３５…レイヤ１機能部、１３５ａ…伝送チャネル符号化部、１３５ｂ…物理チャネルマッピング部、１３５ｃ…Ｅ−ＤＰＤＣＨ送信部、１３５ｄ…Ｅ−ＤＰＣＣＨ送信部、１３５ｅ…Ｅ−ＨＩＣＨ受信部、１３５ｆ…Ｅ−ＲＧＣＨ受信部、１３５ｇ…Ｅ−ＡＧＣＨ受信部、１３５ｈ…物理チャネルデマッピング部、１３５ｉ…ＤＰＣＨ受信部、１４…送受信部、１５…送受信アンテナ、ＮｏｄｅＢ…無線基地局、２１…ＨＷＹインターフェース、２２…ベースバンド信号処理部、２２１…レイヤ１機能部、２２１ａ…Ｅ−ＤＰＣＣＨ逆拡散・ＲＡＫＥ合成部、２２１ｂ…Ｅ−ＤＰＣＣＨ復号部、２２１ｃ…Ｅ−ＤＰＤＣＨ逆拡散・ＲＡＫＥ合成部、２２１ｄ…バッファ、２２１ｅ…再逆拡散部、２２１ｆ…ＨＡＲＱバッファ、２２１ｇ…誤り訂正復号部、２２１ｈ…伝送チャネル符号化部、２２１ｉ…物理チャネルマッピング部、２２１ｊ…Ｅ−ＨＩＣＨ送信部、２２１ｋ…Ｅ−ＡＧＣＨ送信部、２２１ｌ…Ｅ−ＲＧＣＨ送信部、２２１ｍ…ＤＰＣＨ送信部、２２２…ＭＡＣ−ｅ機能部、２２２ａ…ＨＡＲＱ処理部、２２２ｂ…受信処理命令部、２２２ｃ…スケジューリング部、２２２ｄ…多重化解除部、２３…送受信部、２４…アンプ部、２５…送受信アンテナ、２６…呼処理制御部、ＲＮＣ…無線回線制御局、３１…交換局インターフェース、３２…ＬＬＣレイヤ機能部、３３…ＭＡＣレイヤ機能部、３４…メディア信号処理部、３５…無線基地局インターフェース、３６…呼処理制御部
【図１】
0004684062.tif 000002
【図２】
0004684062.tif 000003
【図３】
0004684062.tif 000004
【図４】
0004684062.tif 000005
【図５】
0004684062.tif 000006
【図６】
0004684062.tif 000007
【図７】
0004684062.tif 000008
【図８】
0004684062.tif 000009
【図９】
0004684062.tif 000010
【図１０】
0004684062.tif 000011
【図１１】
0004684062.tif 000012
【図１２】
0004684062.tif 000013
【図１３】
0004684062.tif 000014
【図１４】
0004684062.tif 000015
【図１５】
0004684062.tif 000016
【図１６】
0004684062.tif 000017